(57)【要約】【課題】  さらなる通気性の確保および耐久性確保を実現するビジネス用靴下を提供することを課題とする。【解決手段】  ビジネス用靴下１は、足甲を覆う足甲部３と、足甲部３に連続して編成される足底部４とを備えている。足底部４は、少なくとも一部が第１のメッシュ構造からなる爪先部５と、爪先部５に連続して編成され足指付け根を覆う付け根部６と、付け根部６に連続して編成され第２のメッシュ構造からなる土踏まず部７と、土踏まず部７に連続して編成され踵を覆う踵部８とを有している。【選択図】  図１
2005146421.tif 000002
【特許請求の範囲】
【請求項１】
足甲を覆う足甲部と、
前記足甲部に連続して編成される足底部と、
を備える靴下であって、
前記足底部は、少なくとも一部が第１のメッシュ構造からなる爪先部と、前記爪先部に連続して編成され足指付け根を覆う付け根部と、前記付け根部に連続して編成され第２のメッシュ構造からなる土踏まず部と、前記土踏まず部に連続して編成され踵を覆う踵部とを有している、
ビジネス用靴下。
【請求項２】
前記爪先部は、指先を覆う指先部と、前記指先部に連続して編成され前記第１のメッシュ構造からなる指裏部とを含んでいる、
請求項１に記載のビジネス用靴下。
【請求項３】
前記指先部は、２重編み、あるいは第１の太番手糸により編成される、
請求項２に記載のビジネス用靴下。
【請求項４】
前記踵部は、２重編み、あるいは第２の太番手糸により編成される、
請求項１〜３のいずれかに記載のビジネス用靴下。
【請求項５】
前記付け根部は、第３の太番手糸により編成される、
請求項１〜４のいずれかに記載のビジネス用靴下。
【請求項６】
前記第３の太番手糸は、ブークレタイプである、
請求項５に記載のビジネス用靴下。
【発明の詳細な説明】
【技術分野】
【０００１】  本発明は、靴下、特にビジネス用に用いられるビジネス用靴下に関する。
【背景技術】
【０００２】  パイル靴下において、パイル編みの足底部にメッシュ構造を設け、足底の通気性確保を目的とする技術が知られている（例えば、特許文献１参照）。このようなパイル靴下においては、パイル部分でパイル糸となる編糸をフロートすることによりメッシュ構造を編成している。
【特許文献１】        実開昭５７−１８０７０８号公報
【発明の開示】
【発明が解決しようとする課題】
【０００３】  ビジネス用靴下の分野においては、一般に通気性のよくない革靴とともに着用されることが多く、さらなる通気性の確保および耐久性の確保が求められている。
しかし、上記従来技術では、通気性の確保と耐久性確保とを同時に実現することが難しい。
そこで、本発明では、さらなる通気性の確保および耐久性確保を実現するビジネス用靴下を提供することを課題とする。
【課題を解決するための手段】
【０００４】  請求項１に記載のビジネス用靴下は、足甲を覆う足甲部と、足甲部に連続して編成される足底部とを備えている。足底部は、少なくとも一部が第１のメッシュ構造からなる爪先部と、爪先部に連続して編成され足指付け根を覆う付け根部と、付け根部に連続して編成され第２のメッシュ構造からなる土踏まず部と、土踏まず部に連続して編成され踵を覆う踵部とを有している。
本発明のビジネス用靴下では、爪先部と土踏まず部とにメッシュ構造を有している。このため、通気性の確保が可能となる。メッシュ構造は、着用時において足裏が接地する付け根部において分割された構造となっている。すなわち、着用時に強度が必要とされない部分においてメッシュ構造を有している。このため、耐久性の確保が可能となる。【０００５】  請求項２に記載のビジネス用靴下は、請求項１に記載のビジネス用靴下であって、爪先部は、指先を覆う指先部と、指先部に連続して編成されメッシュ構造からなる指裏部とを含んでいる。
本発明のビジネス用靴下では、着用時において足裏が接地しない指裏部においてメッシュ構造を有している。このため、足指間の通気性を確保するとともに、耐久性の確保が可能となる。【０００６】  請求項３に記載のビジネス用靴下は、請求項２に記載のビジネス用靴下であって、指先部は、２重編み、あるいは第１の太番手糸により編成される。
本発明のビジネス用靴下では、着用時において足裏が接地する部分である指先部において強度を高めた構造を有している。このため、さらなる耐久性の確保が可能となる。【０００７】  請求項４に記載のビジネス用靴下は、請求項１〜３のいずれかに記載のビジネス用靴下であって、踵部は、２重編み、あるいは第２の太番手糸により編成される。
本発明のビジネス用靴下では、着用時において足裏が接地する部分である踵部において強度を高めた構造を有している。このため、さらなる耐久性の確保が可能となる。【０００８】  請求項５に記載のビジネス用靴下は、請求項１〜４のいずれかに記載のビジネス用靴下であって、付け根部は、第３の太番手糸により編成される。
本発明のビジネス用靴下では、着用時において足裏が接地する部分である付け根部において強度を高めた構造を有している。このため、さらなる耐久性の確保が可能となる。【０００９】  請求項６に記載のビジネス用靴下は、請求項５に記載のビジネス用靴下であって、第３の太番手糸は、ブークレタイプである。
本発明のビジネス用靴下では、歩行時に負荷がかかる部分である付け根部において、クッション性が高く滑りにくいブークレタイプの太番手糸を使用している。このため、疲れにくいなど、履き心地の向上を得ることが可能となる。
【発明の効果】
【００１０】  本発明では、さらなる通気性の確保および耐久性確保を実現するビジネス用靴下を提供することが可能となる。
【発明を実施するための最良の形態】
【００１１】［第１実施形態］
〈構成〉
本発明の第１実施形態としてのビジネス用靴下１を図１に示す。図１に示すビジネス用靴下１は、脚部２と、脚部２と連続して編成され足甲を覆う足甲部３と、脚部２および足甲部３と連続して編成され足底を覆う足底部４とから構成される。
脚部２は、筒状に編成されている。足甲部３は、脚部２と同じ番手の糸を用いて編成されている。
足底部４は、爪先を覆う爪先部５と、爪先部５と連続して編成され足指の付け根を覆う付け根部６と、付け根部６と連続して編成され土踏まずを覆う土踏まず部７と、土踏まず部７と連続して編成され踵をおおう踵部８とから構成される。
爪先部５は、足指の指先を覆う指先部９と、指先部９と連続して編成され足指の指先から足指の付け根にわたる足指の指裏を覆う指裏部１０とから構成される。【００１２】  〈足底部４の特徴〉
指先部９は、脚部２あるいは足甲部３と異なり、２重編み構造により編成、あるいは太番手糸により編成されている。２重編み構造により編成される場合、表糸に糸を一本追加して編成される。指裏部１０は、靴下着用時に足裏が接地しない部分にあたり、通気性に優れたメッシュ構造により編成されている。
付け根部６は、靴下着用時に足裏が接地する部分にあたり、歩行時にもっとも摩擦が大きく負荷がかかる部分である。付け根部６は、クッション性が高く滑りにくいブークレタイプの太番手糸により編成されている。
土踏まず部７は、靴下着用時に足裏が接地しない部分にあたり、通気性に優れたメッシュ構造により編成されている。
踵部８は、靴下着用時に足裏が接地する部分にあたり、脚部２あるいは足甲部３と異なり、２重編み構造により編成、あるいは太番手糸により編成されている。２重編み構造により編成される場合、表糸に糸を一本追加して編成される。
なお、太番手糸を用いて指先部９と踵部８とを編成する場合、脚部２および足甲部３を編成する糸に比して太番手であって、同じ番手の太番手糸を用いて編成しても良い。
また、指裏部１０と土踏まず部７とを構成するメッシュ構造は、同じ構造のメッシュ構造であってもよい。【００１３】  〈効果〉
本発明のビジネス用靴下１では、以下の効果を得ることが可能である。
（１）
本発明のビジネス用靴下１では、指裏部１０と土踏まず部７とにメッシュ構造を有している。このため、通気性の確保、特に足指間の通気性の確保が可能となる。メッシュ構造は、着用時において足裏が接地する付け根部６において分割された構造となっている。すなわち、着用時に強度が必要とされない指裏部１０と土踏まず部７とにメッシュ構造を有し、強度が必要とされる付け根部６は、メッシュ構造を有さない。このため、耐久性の確保が同時に可能となる。
（２）
本発明のビジネス用靴下１では、着用時において足裏が接地する部分である指先部９において強度を高めた構造を有している。このため、さらなる耐久性の確保が可能となる。
（３）
本発明のビジネス用靴下１では、着用時において足裏が接地する部分である踵部８において強度を高めた構造を有している。このため、さらなる耐久性の確保が可能となる。
（４）
本発明のビジネス用靴下１では、着用時において足裏が接地する部分である付け根部６において強度を高めた構造を有している。このため、さらなる耐久性の確保が可能となる。
（５）
本発明のビジネス用靴下１では、歩行時に負荷がかかる部分である付け根部６において、クッション性が高く滑りにくいブークレタイプの太番手糸を使用している。このため、疲れにくいなど、履き心地の向上を得ることが可能となる。
（６）
本発明のビジネス用靴下１では、パイル靴下におけるメッシュ構造とは異なるメッシュ構造を有する。すなわち、編糸をフロートすることによりメッシュ構造を編成するわけではなく、表糸を交互編することによりメッシュ状に編地を構成する。
このため、メッシュ構造部分の面積を大きくすることが可能となる。すなわち、土踏まず部７においては、全体をメッシュ構造により構成することが可能となり、靴下の強度を低下させること無く、さらなる通気性を確保することが可能となる。
（７）
本発明のビジネス用靴下１では、足底部全体をメッシュ構造とする場合に比して、足指部９、付け根部６、踵部８における靴下の強度を向上させることが可能となる。
このため、十分な通気性を確保しつつ、靴下の耐久性を向上させることが可能となる。また、強度の必要な部分以外をメッシュ構造とするため、足底が厚くなる、靴が履きにくい、締め付けられるなどといった問題を防ぐことが可能となる。すなわち、靴下の通気性、耐久性を確保しつつ、靴下を薄く構成することが可能となる。【００１４】［変形例］
（１）
指先部９、踵部８において、２重編み構造により編成、あるいは太番手糸により編成される部分は、着用時において、足指および踵が接地する部分のみであっても良い。すなわち、指先部９であっても、足指の足甲側の部分は、脚部２または足甲部３と同じ番手の糸を用いて編成されていても良い。また、踵部８であっても、着用時において踵が接地しない踵側部などの部分は、脚部２または足甲部３と同じ番手の糸を用いて編成されていても良い。
（２）
上記実施形態では、ビジネス用靴下１は、筒状に編成された脚部２を有すると説明した。しかし、ビジネス用靴下１は、図１に示すのとは異なる形状の脚部２、例えば極端に短い脚部２を有するものであってもよい。また、ビジネス用靴下１は、脚部２を有さないものであってもよい。
【産業上の利用可能性】
【００１５】  本発明により、ビジネス用靴下の分野において、さらなる通気性の確保および耐久性確保を実現するビジネス用靴下を提供することが可能となる。
【図面の簡単な説明】
【００１６】
【図１】  本発明の第１実施形態としてのビジネス用靴下１
【符号の説明】
【００１７】  １    ビジネス用靴下
２    脚部
３    足甲部
４    足裏部
５    爪先部
６    付け根部
７    土踏まず部
８    踵部
９    指先部
１０    指裏部
【図１】
2005146421.tif 000003